(57)【要約】【課題】良好に再生可能な形式のＴＶ放送を適宜選択・出力すると共にその消費電力量を抑えることができるＴＶ放送受信機を提供する。【解決手段】それぞれ対応した形式のＴＶ放送を受信・復調する複数の処理系統部と、現在の位置情報を取得する位置情報取得手段と、位置情報取得手段により取得された位置情報に基づいて受信可能な形式のテレビジョン放送を決定する出力決定手段とを具備し、複数の処理系統部のうち、少なくとも、出力決定手段で決定された形式のテレビジョン放送を受信・復調する処理系統部に対して電源を供給するＴＶ放送受信機を提供する。【選択図】図２
2008011018.tif 000002
【特許請求の範囲】
【請求項１】
それぞれ異なる複数の形式のテレビジョン放送を受信・復調可能であり、その何れかの形式の復調後の信号を再生機器に出力するテレビジョン放送受信機において、
それぞれ対応した形式のテレビジョン放送を受信・復調する複数の処理系統部と、
現在の位置情報を取得する位置情報取得手段と、
前記位置情報取得手段により取得された位置情報に基づいて受信可能な形式のテレビジョン放送を決定する出力決定手段と、を具備し、
前記複数の処理系統部のうち、少なくとも、前記出力決定手段で決定された形式のテレビジョン放送を受信・復調する処理系統部に対して電源を供給すること、を特徴とするテレビジョン放送受信機。
【請求項２】
それぞれ異なる複数の形式のテレビジョン放送を受信・復調可能であり、その何れかの形式の復調後の信号を再生機器に出力するテレビジョン放送受信機において、
それぞれ対応した形式のテレビジョン放送を受信・復調する複数の処理系統部と、
現在の位置情報を取得する位置情報取得手段と、
前記位置情報取得手段により取得された位置情報に基づいて受信可能な形式のテレビジョン放送を決定する出力決定手段と、を具備し、
前記複数の処理系統部のうち、少なくとも一つの、前記出力決定手段で決定された形式以外の形式のテレビジョン放送を受信・復調する処理系統部を省電力モードで動作させること、を特徴とするテレビジョン放送受信機。
【請求項３】
前記複数の処理系統部のうち、少なくとも一つの、前記出力決定手段で決定された形式以外の形式のテレビジョン放送を受信・復調する処理系統部に対する電源供給を遮断すること、を特徴とする請求項２に記載のテレビジョン放送受信機。
【請求項４】
各形式のテレビジョン放送の受信状況を位置情報に関連付けて管理したデータベースを更に具備し、
前記出力決定手段は、前記位置情報取得手段により取得された位置情報をキーとして前記データベースを検索し、その検索結果に基づいて受信可能な形式のテレビジョン放送を決定すること、を特徴とする請求項１から請求項３の何れかに記載のテレビジョン放送受信機。
【請求項５】
サイマル方式のデジタルテレビジョン放送とアナログテレビジョン放送を受信・復調可能であり、その何れか一方の形式の復調後の信号を再生機器に出力するテレビジョン放送受信機において、
デジタルテレビジョン放送を受信・復調する第一の処理系統部と、
アナログテレビジョン放送を受信・復調する第二の処理系統部と、
現在の位置情報を取得する位置情報取得手段と、
前記位置情報取得手段により取得された位置情報に基づいて受信可能な形式のテレビジョン放送を決定する出力決定手段と、を具備し、
前記出力決定手段においてデジタルテレビジョン放送に決定されたとき、前記第一の処理系統部に対して電源供給を行い、前記第二の処理系統部に対する電源供給を遮断し、
前記出力決定手段においてアナログテレビジョン放送に決定されたとき、前記第二の処理系統部に対して電源供給を行い、前記第一の処理系統部に対する電源供給を遮断すること、を特徴とするテレビジョン放送受信機。
【請求項６】
各形式のテレビジョン放送の受信状況を位置情報に関連付けて管理したデータベースを更に具備し、
前記出力決定手段は、前記位置情報取得手段により取得された位置情報をキーとして前記データベースを検索し、その検索結果が何れの形式のテレビジョン放送もその受信状態が良好であることを示すとき、該再生機器に出力されるべきテレビジョン放送をデジタルテレビジョン放送に決定すること、を特徴とする請求項５に記載のテレビジョン放送受信機。
【請求項７】
移動体に備えられていること、を特徴とする請求項１から請求項６の何れかに記載のテレビジョン放送受信機。
【発明の詳細な説明】
【技術分野】
【０００１】
この発明は、それぞれ異なる複数の形式のテレビジョン（以下、「テレビジョン」を「ＴＶ」と記す）放送を受信・復調可能であり、その何れかの形式の復調後の信号を再生機器に出力するＴＶ放送受信機に関する。
【背景技術】
【０００２】
近年、記録媒体や機器等において音声や映像をデジタル形式で処理／管理することが一般化している。このような記録媒体や機器等における音声や映像のデジタル符号化の趨勢は放送関連業界にも波及している。放送関連業界では、現在、地上波アナログＴＶ放送から地上波デジタルＴＶ放送への移行が進められている。
【０００３】
この地上波デジタルＴＶ放送は普及しつつある。しかし、ＴＶ放送を地上波アナログＴＶ放送から地上波デジタルＴＶ放送に移行させるためには大規模な設備投資、莫大な時間、労力、費用等が必要とされる。現在は移行を徐々に進めている段階であり、全国的には地上波デジタルＴＶ放送を視聴可／不可な地域が散在するといった状況にある。また地上波デジタルＴＶ放送を視聴するためにはそれに対応した機器が必要である。視聴者は、地上波デジタルＴＶ放送を視聴するためには新たな機器を購入しなければならない。従って現段階でＴＶ放送を地上波デジタルＴＶ放送に一本化してしまうと、多くの視聴者がＴＶ放送を視聴できなくなってしまう。これらの事情を鑑みて、現在、地上波デジタルＴＶ放送と地上波アナログＴＶ放送とのサイマル放送（すなわちデジタル及びアナログの両形式で同一時間に同一内容の番組を放送する方式）が実施されている。
【０００４】
例えば車両に代表される移動体に搭載されたＴＶ放送受信機では、地上波デジタルＴＶ放送を視聴可／不可な地域が散在することが考慮されて、地上波デジタルＴＶ放送と地上波アナログＴＶ放送の両放送を受信できるよう設計されている。例えば下記特許文献１には、サイマル放送に対応したＴＶ放送受信機が開示されている。下記特許文献１に記載のＴＶ放送受信機は、地上波デジタルＴＶ放送の受信信号（以下、「デジタル受信信号」と記す）のエラーレートが基準値を超えるか否かを監視する。エラーレートが基準値以下のときには地上波デジタルＴＶ放送の受信状態が良好であるとして、デジタル受信信号を映像音声出力装置に出力する。一方、エラーレートが基準値を超えたときには地上波デジタルＴＶ放送の受信状態が悪化したものとして、映像音声出力装置に対する出力を地上波アナログＴＶ放送の受信信号（以下、「アナログ受信信号」と記す）に切り替える。すなわち下記特許文献１によれば、デジタル受信信号を優先的に出力し、地上波デジタルＴＶ放送の受信状態が悪化したときに限りアナログ受信信号を出力するＴＶ放送受信機が提供される。
【特許文献１】特許第３５８３９６３号公報
【発明の開示】
【発明が解決しようとする課題】
【０００５】
上記特許文献１に記載のＴＶ放送受信機によれば、例えば地上波アナログＴＶ放送を受信・処理して映像音声出力装置に出力する間も地上波デジタルＴＶ放送を受信・処理している。これは、このＴＶ放送受信機が地上波デジタルＴＶ放送の受信状態を常時検出し、当該受信状態が良好となった時点で上記出力を地上波デジタルＴＶ放送に切り替えるよう動作するためである。
【０００６】
しかし、上記特許文献１に記載されているように両形式の受信信号に対して処理を並行して行った場合、ＴＶ放送受信機の消費電力量が高くなるため望ましくない。附言するに、視聴者にとって必要とされる映像・音声は、映像音声出力装置で良好に再生可能な何れか一方の形式のＴＶ放送によるものだけである。このような観点によれば、ＴＶ放送受信機は、何れか一方の形式の受信信号に対してのみ処理を実行して映像音声出力装置に出力するよう動作すれば良い。ところが現状のＴＶ放送受信機では、地上波デジタルＴＶ放送（或いは地上波アナログＴＶ放送）の受信状態を監視しなければ、映像音声出力装置で再生されるべき形式をその受信状態に応じて適宜選択・出力することができない。
【０００７】
そこで、本発明は上記の事情に鑑みて、良好に再生可能な形式のＴＶ放送を適宜選択・出力すると共にその消費電力量を抑えることができるＴＶ放送受信機を提供することを課題としている。
【課題を解決するための手段】
【０００８】
上記の課題を解決する本発明の一態様に係るＴＶ放送受信機は、それぞれ異なる複数の形式のＴＶ放送を受信・復調可能であり、その何れかの形式の復調後の信号を再生機器に出力する受信機に関するものである。このＴＶ放送受信機は、それぞれ対応した形式のＴＶ放送を受信・復調する複数の処理系統部と、現在の位置情報を取得する位置情報取得手段と、位置情報取得手段により取得された位置情報に基づいて受信可能な形式のテレビジョン放送を決定する出力決定手段とを具備し、複数の処理系統部のうち、少なくとも、出力決定手段で決定された形式のテレビジョン放送を受信・復調する処理系統部に対して電源を供給することを特徴としたものである。
【０００９】
このように構成されたＴＶ放送受信機によれば、取得された位置情報に基づいて各形式のＴＶ放送の受信状況を判定し、その判定結果に基づいて該再生機器に出力されるべき形式のＴＶ放送を決定することができる。そしてそれと共に、決定された形式の処理系統部に対してのみ電源を供給することができる。すなわち、良好に再生可能な形式のＴＶ放送を適宜選択・出力すると共にその消費電力量を抑えることができるＴＶ放送受信機が提供される。
【００１０】
また上記の課題を解決する本発明の別の態様に係るＴＶ放送受信機は、それぞれ異なる複数の形式のＴＶ放送を受信・復調可能であり、その何れかの形式の復調後の信号を再生機器に出力する受信機に関するものである。このＴＶ放送受信機は、それぞれ対応した形式のＴＶ放送を受信・復調する複数の処理系統部と、現在の位置情報を取得する位置情報取得手段と、位置情報取得手段により取得された位置情報に基づいて受信可能な形式のテレビジョン放送を決定する出力決定手段とを具備し、複数の処理系統部のうち、少なくとも一つの、出力決定手段で決定された形式以外の形式のテレビジョン放送を受信・復調する処理系統部を省電力モードで動作させることを特徴としたものである。
【００１１】
このように構成されたＴＶ放送受信機によれば、取得された位置情報に基づいて各形式のＴＶ放送の受信状況を判定し、その判定結果に基づいて該再生機器に出力されるべき形式のＴＶ放送を決定することができる。そしてそれと共に、決定された形式以外の形式の処理系統部に対する電源供給量を低減することができる。すなわち、良好に再生可能な形式のＴＶ放送を適宜選択・出力すると共にその消費電力量を抑えることができるＴＶ放送受信機が提供される。
【００１２】
なお上記ＴＶ放送受信機は、例えば複数の処理系統部のうち、少なくとも一つの、出力決定手段で決定された形式以外の形式のＴＶ放送を受信・復調する処理系統部に対する電源供給を遮断するよう動作しても良い。
【００１３】
また上記ＴＶ放送受信機は、例えば各形式のＴＶ放送の受信状況を位置情報に関連付けて管理したデータベースを更に具備したものであっても良い。この場合、上記出力決定手段は、位置情報取得手段により取得された位置情報をキーとしてデータベースを検索し、その検索結果に基づいて受信可能な形式のテレビジョン放送を決定することができる。
【００１４】
また上記の課題を解決する本発明の別の態様に係るＴＶ放送受信機は、サイマル方式のデジタルＴＶ放送とアナログＴＶ放送を受信・復調可能であり、その何れか一方の形式の復調後の信号を再生機器に出力する受信機に関するものである。このＴＶ放送受信機は、デジタルＴＶ放送を受信・復調する第一の処理系統部と、アナログＴＶ放送を受信・復調する第二の処理系統部と、現在の位置情報を取得する位置情報取得手段と、位置情報取得手段により取得された位置情報に基づいて受信可能な形式のテレビジョン放送を決定する出力決定手段とを具備し、出力決定手段においてデジタルＴＶ放送に決定されたとき、第一の処理系統部に対して電源供給を行い、第二の処理系統部に対する電源供給を遮断し、出力決定手段においてアナログＴＶ放送に決定されたとき、第二の処理系統部に対して電源供給を行い、第一の処理系統部に対する電源供給を遮断することを特徴としたものである。
【００１５】
ここで、上記ＴＶ放送受信機は、例えば各形式のテレビジョン放送の受信状況を位置情報に関連付けて管理したデータベースを更に具備したものであっても良い。この場合、出力決定手段は、位置情報取得手段により取得された位置情報をキーとしてデータベースを検索し、その検索結果が何れの形式のテレビジョン放送もその受信状態が良好であることを示すとき、該再生機器に出力されるべきテレビジョン放送をデジタルテレビジョン放送に決定するよう動作しても良い。
【００１６】
上記ＴＶ放送受信機は例えば移動体に備えられたものであっても良い。
【発明の効果】
【００１７】
本発明によれば、良好に再生可能な形式のＴＶ放送を適宜選択・出力すると共にその消費電力量を抑えるのに好適なＴＶ放送受信機が提供される。
【発明を実施するための最良の形態】
【００１８】
以下、図面を参照して、本発明の実施の形態のＴＶ放送受信機の構成及び作用について説明する。
【００１９】
図１は、本発明の実施の形態のＴＶ放送受信機を具備した映像音声出力装置１００の構成を示したブロック図である。映像音声出力装置１００は例えば移動体である車両に搭載されている。映像音声出力装置１００はサイマル放送に対応したものであり、地上波デジタルＴＶ放送及び地上波アナログＴＶ放送の両方を受信して処理できるよう設計されている。映像音声出力装置１００は車両のＡＣＣ電源２００に接続されている。映像音声出力装置１００の各構成要素はＡＣＣ電源２００により供給されるＤＣ電圧によって動作する。なお図１では、便宜上、ＡＣＣ電源２００と各構成要素との結線を省略する。
【００２０】
映像音声出力装置１００は、制御部１０、デジタルＴＶ用アンテナ１１、デジタルＴＶ用チューナ１２、ＯＦＤＭ（Orthogonal Frequency Division Multiplexing：直交周波数分割多重）復調部１３、ＭＰＥＧ（Moving Picture Experts Group）デコーダ１４、映像切替スイッチ１５、スイッチ１６、３４、音声Ｄ／Ａコンバータ２１、音声切替スイッチ２３、オーディオアンプ２４、アナログＴＶ用アンテナ３１、アナログＴＶ用チューナ３２、アナログ受信信号復調部３３、メモリ４０、ＧＰＳ（Global Positioning System）レシーバ４１、ディスプレイ５０、スピーカ６０Ｒ、６０Ｌ、及び、受光部７０を具備する。
【００２１】
リモート・コントローラ（以下、「リモコン」と記す）８０には映像音声出力装置１００を操作するための操作キーが設けられている。ユーザがリモコン８０を操作すると、その操作に応じた制御パルスがリモコン８０から出力される。この制御パルスは例えばＩｒＤＡ規格に準拠した信号である。受光部７０はこの制御パルスを受信すると、それを制御部１０に受け渡す。なおリモコン８０が操作されているときには、例えばディスプレイ５０の表示が操作画面に切り替わるようにしても良く、或いは、操作に関する文字情報がディスプレイ５０に表示中の画像に重畳表示されるようにしても良い。
【００２２】
制御部１０は映像音声出力装置１００全体の統括的な制御を司る。制御部１０は、例えば自己に実装された各種プログラム及び受光部７０からの制御パルスに基づいて各構成要素を制御するよう動作する。またスイッチ１６及び３４を用いて各構成要素に対する電源供給の制御も実行する。制御部１０は、通常動作時においてはスイッチ１６や３４をオンに制御して、各構成要素に対する電源供給を遮断することはない。
【００２３】
ここで、映像音声出力装置１００における一連の信号処理について説明する。
【００２４】
先ず、デジタル受信信号に対する処理について説明する。デジタルＴＶ用アンテナ１１は、地上波デジタルＴＶ放送の各チャンネルのＲＦ（Radio Frequency）信号を受信する機能を有する。デジタルＴＶ用アンテナ１１で受信された各ＲＦ信号は、デジタルＴＶ用チューナ１２に入力する。
【００２５】
デジタルＴＶ用チューナ１２は、入力された各ＲＦ信号の中から制御部１０により指定されたチャンネル（以下、「指定チャンネル」と記す）のＲＦ信号を選択して周波数変換を行う。具体的には、安定動作や選択特性が改善される中間周波数すなわちＩＦ（Intermediate Frequency）信号に変換する。周波数変換後のＩＦ信号は、図示しないＢＰＦ（Band Pass Filter）により不要な周波数成分が除去された後、ＯＦＤＭ復調部１３に入力する。
【００２６】
デジタルＴＶ用チューナ１２で選択されるチャンネルは、ユーザ・オペレーションによる選局に従って決定される。具体的には、ユーザがリモコン８０を操作して選局を行うと、その操作に応じた制御パルスがリモコン８０から出力される。受光部７０がこの制御パルスを受信して制御部１０に受け渡すと、制御部１０は、指定チャンネルのＲＦ信号を選択するようデジタルＴＶ用チューナ１２に命令を出す。デジタルＴＶ用チューナ１２はこの命令に従ってチューニング処理を実行する。
【００２７】
なお制御部１０は、デジタルＴＶ用チューナ１２に命令を出すと共に指定チャンネルの情報をメモリ４０に書き込む。従ってメモリ４０には、常に、ユーザが最後に選択したチャンネルの情報（以下、「ラストチャンネル」と記す）を保持されることになる。ユーザによる選局操作が行われていない場合（例えば電源スイッチ（不図示）投入直後等）、制御部１０はメモリ４０を参照して、ラストチャンネルに対応するＲＦ信号を選択するようデジタルＴＶ用チューナ１２に命令を出す。
【００２８】
ＯＦＤＭ復調部１３は、入力されたＩＦ信号をＡ／Ｄ変換してデジタル信号に変換する。次いで、変換されたデジタル信号を例えば数千のキャリアに分割し、各キャリア毎に位相を合わせて合成（例えば周知の最大比合成）処理を行った上で復調する。これにより、ＭＰＥＧ−２トランスポートストリーム信号（以下、「ＴＳ信号」と記す）が得られる。このＴＳ信号はＭＰＥＧデコーダ１４に出力される。
【００２９】
ＭＰＥＧデコーダ１４は、入力されたＴＳ信号をデコードする。これによりＴＳ信号が、デジタルＴＶ放送の映像信号及びデジタルフォーマットの音声信号にデコードされる。デコードされた映像信号は映像切替スイッチ１５に出力される。また音声信号は音声Ｄ／Ａコンバータ２１に出力される。
【００３０】
映像切替スイッチ１５は、制御部１０の命令に従ってスイッチング動作して、ＭＰＥＧデコーダ１４又はアナログ受信信号復調部３３の何れか一方からの入力信号をディスプレイ５０に出力する。例えば地上波デジタルＴＶ放送の番組を再生するようユーザ・オペレーションが成されている場合、映像切替スイッチ１５は、ＭＰＥＧデコーダ１４からの入力信号を出力するようスイッチング制御される。映像切替スイッチ１５から出力された映像信号がディスプレイ５０に入力することで、地上波デジタルＴＶ放送の番組がディスプレイ５０の画面に表示される。
【００３１】
音声Ｄ／Ａコンバータ２１は、ＭＰＥＧデコーダ１４からの音声信号をＤ／Ａ変換して音声切替スイッチ２３に出力する。
【００３２】
音声切替スイッチ２３は、制御部１０の命令に従ってスイッチング動作して、音声Ｄ／Ａコンバータ２１又はアナログ受信信号復調部３３の何れか一方からの入力信号をオーディオアンプ２４に出力する。ここでは地上波デジタルＴＶ放送の番組を再生するようユーザ・オペレーションが成されているため、音声切替スイッチ２３は、音声Ｄ／Ａコンバータ２１とオーディオアンプ２４を接続するようスイッチング制御される。
【００３３】
オーディオアンプ２４は音声切替スイッチ２３からの音声信号を増幅してスピーカ６０Ｒ及び６０Ｌに出力する。これにより、地上波デジタルＴＶ放送の番組の音声がスピーカ６０Ｒ及び６０Ｌで再生される。
【００３４】
ここで、デジタルＴＶ用チューナ１２、ＯＦＤＭ復調部１３、ＭＰＥＧデコーダ１４、及び、音声Ｄ／Ａコンバータ２１は、デジタル受信信号に対してのみ処理を行う系統である。以下、説明の便宜上これらの構成要素を一括して「デジタル処理系統部」と称する。
【００３５】
次に、アナログ受信信号の信号処理について説明する。アナログＴＶ用アンテナ３１は、地上波アナログＴＶ放送の各チャンネルのＲＦ信号を受信する機能を有する。アナログＴＶ用アンテナ３１で受信された各ＲＦ信号は、アナログＴＶ用チューナ３２に入力する。
【００３６】
アナログＴＶ用チューナ３２は、入力されたＲＦ信号の中から特定のＲＦ信号を選択する。ここで選択される特定のＲＦ信号は、例えば指定チャンネル又はラストチャンネルのＲＦ信号である。アナログＴＶ用チューナ３２は、選択したＲＦ信号をＩＦ信号に変換する。次いで、変換されたＩＦ信号をアナログ受信信号復調部３３に出力する。ここで、制御部１０による指定チャンネルも先と同様にユーザ・オペレーションによる選局に従って決定することができる。また当該指定チャンネルの情報はラストチャンネルとしてメモリ４０に保持される。
【００３７】
アナログ受信信号復調部３３は、入力されたＩＦ信号を映像信号及び音声信号に分離する。次いで、分離された映像信号を所定の形式の映像信号にＡＭ（Amplitude Modulation）復調して映像切替スイッチ１５に出力する。また、分離された音声信号をＦＭ（Frequency Modulation）復調して音声切替スイッチ２３に出力する。
【００３８】
例えば地上波アナログＴＶ放送の番組を再生するようユーザ・オペレーションが成されている場合、映像切替スイッチ１５は、アナログ受信信号復調部３３からの入力信号を出力するようスイッチング制御される。これにより、上記所定の形式の映像信号がディスプレイ５０に入力し、地上波アナログＴＶ放送の番組が当該ディスプレイ５０の画面に表示される。
【００３９】
またこの場合、音声切替スイッチ２３は、アナログ受信信号復調部３３とオーディオアンプ２４を接続するようスイッチング制御されている。従って上記復調された音声信号はオーディオアンプ２４に入力する。この音声信号がオーディオアンプ２４により増幅されてスピーカ６０Ｒ及び６０Ｌに出力されると、地上波アナログＴＶ放送の番組の音声がスピーカ６０Ｒ及び６０Ｌで再生される。
【００４０】
ここで、アナログＴＶ用チューナ３２、及び、アナログ受信信号復調部３３は、アナログ受信信号に対してのみ処理を行う系統である。以下、説明の便宜上これらの構成要素を一括して「アナログ処理系統部」と称する。
【００４１】
次に、本実施形態の映像音声出力装置１００におけるＴＶ放送番組再生処理について説明する。図２に、映像音声出力装置１００におけるＴＶ放送番組再生処理のフローチャートを示す。
【００４２】
図２のフローチャートの処理は、例えば映像音声出力装置１００の電源スイッチがオンされた時点で開始され、当該電源スイッチがオフされた時点で終了する。この処理は所定のタイミング毎に実行される。
【００４３】
映像音声出力装置１００の電源スイッチがオンされると、制御部１０は、ＧＰＳレシーバ４１にリクエストを出して車両の現在の位置情報を取得する（ステップ１、以下、明細書及び図面においてステップを「Ｓ」と略記）。なお電源スイッチ投入直後においては、制御部１０は、デジタル処理系統部及びアナログ処理系統部の何れにも駆動電圧を供給しない。
【００４４】
上記ＧＰＳレシーバ４１は周知の構成を有したユニットであり、地球を周回するＧＰＳ衛星から発信されるＧＰＳ信号を用いて自己の現在位置情報を取得する機能を有する。このＧＰＳレシーバ４１は、制御部１０によるリクエストに呼応して、ＧＰＳ信号の捕捉・追尾、測位演算等の処理を実行する。そしてその結果得られた現在位置情報を制御部１０に受け渡す。ここで受け渡される現在位置情報は、例えば所定の二次元座標系で表される座標データである。
【００４５】
Ｓ１の処理により現在位置情報が取得されると、制御部１０は、当該現在位置情報を検索キーとして、メモリ４０に格納された受信情報データベースＤＢを検索する。そしてその検索結果を取得する（Ｓ２）。
【００４６】
ここで、図３に、メモリ４０に格納された受信情報データベースＤＢの概念図を示す。この受信情報データベースＤＢはＴＶ放送の受信状況を地域毎に管理したデータベースである。当該受信情報データベースＤＢの各レコードは、「地域」、「地上波デジタルＴＶ放送」、及び、「地上波アナログＴＶ放送」のフィールドから構成される。
【００４７】
「地域」フィールドには、例えば日本全国の各地域を座標で表した座標データがエントリされている。この座標データはＧＰＳレシーバ４１による測位結果（すなわち上記所定の二次元座標系で表される座標データ）に対応している。「地上波デジタルＴＶ放送」、「地上波アナログＴＶ放送」フィールドの各々には、それらと同一レコードの「地域」フィールドで座標データにより表された地域において、地上波デジタルＴＶ放送、地上波アナログＴＶ放送を良好に受信できるか否かを表したデータがそれぞれエントリされている。図３では、良好に受信できることを示したデータを「○」とし、良好に受信できないことを示したデータを「×」としている。
【００４８】
「地上波デジタルＴＶ放送」フィールドが「○」であるとき、映像音声出力装置１００は、その地域ではディスプレイ５０、スピーカ６０Ｒ及び６０Ｌにより地上波デジタルＴＶ放送を正常に再生することができる。また「地上波デジタルＴＶ放送」フィールドが「×」であるとき、映像音声出力装置１００は、その地域ではディスプレイ５０、スピーカ６０Ｒ及び６０Ｌに正常な映像・音声信号を出力することができない。従ってディスプレイ５０、スピーカ６０Ｒ及び６０Ｌで映像・音声が再生されない。
【００４９】
また「地上波アナログＴＶ放送」フィールドが「○」であるとき、映像音声出力装置１００は、その地域ではディスプレイ５０、スピーカ６０Ｒ及び６０Ｌにより地上波アナログＴＶ放送を比較的高画質・高音質で再生することができる。また「地上波アナログＴＶ放送」フィールドが「×」であるとき、映像音声出力装置１００は、その地域ではディスプレイ５０、スピーカ６０Ｒ及び６０Ｌにより地上波アナログＴＶ放送を、ノイズの多い乱れた映像・音声でしか再生することができない。
【００５０】
Ｓ２の処理において制御部１０は、Ｓ１の処理で取得した現在位置情報を検索キーとして受信情報データベースＤＢの「地域」フィールドを検索し該当するレコードを抽出すると、そのレコードの「地上波デジタルＴＶ放送」及び「地上波アナログＴＶ放送」フィールドにエントリされたデータに基づいてＳ３の判定処理を実行する。
【００５１】
例えばＳ２の処理で抽出されたレコードの「地上波デジタルＴＶ放送」フィールドが「○」であり「地上波アナログＴＶ放送」フィールドが「×」であるとき、制御部１０は、車両が現在位置する地域では地上波デジタルＴＶ放送の受信状態だけが良好であると判断して（Ｓ３：デジタル）、Ｓ４の処理に進む。
【００５２】
また例えばＳ２の処理で抽出されたレコードの「地上波デジタルＴＶ放送」フィールドが「×」であり「地上波アナログＴＶ放送」フィールドが「○」であるとき、制御部１０は、車両が現在位置する地域では地上波アナログＴＶ放送の受信状態だけが良好であると判断して（Ｓ３：アナログ）、Ｓ６の処理に進む。
【００５３】
また例えばＳ２の処理で抽出されたレコードの両フィールドが共に「○」であるとき、制御部１０は、車両が現在位置する地域では両形式のＴＶ放送の受信状態が共に良好であると判断する。ここで、本実施形態では、地上波デジタルＴＶ放送を優先的に再生するよう設定されているものとする。この場合、制御部１０はＳ４の処理に進む。なお所定のユーザ・オペレーションにより地上波アナログＴＶ放送を優先的に再生するよう設定することもできる。この場合、制御部１０はＳ６の処理に進む。
【００５４】
なおＳ２の処理で抽出されたレコードの両フィールドが共に「×」であるとき、制御部１０は、例えば所定のタイミング後にＳ１の処理に復帰する。そして、現在位置情報の取得を再び実行する。
【００５５】
Ｓ４の処理において制御部１０は、デジタル処理系統部に対する電源供給を開始すると共にアナログ処理系統部に対する電源供給を遮断する。すなわち制御部１０は、スイッチ３４をオフ（スイッチ１６はオンのまま）にして、デジタル処理系統部とアナログ処理系統部のうち、デジタル処理系統部に対してのみ電源供給が行われるようにする。
【００５６】
制御部１０はＳ４の処理に次いでデジタル処理系統部を制御し、上述した一連の処理を実行して映像・音声信号を生成する。そして、生成された映像・音声信号を、映像切替スイッチ１５、音声切替スイッチ２３、及び、オーディオアンプ２４を制御してディスプレイ５０、スピーカ６０Ｒ、６０Ｌに出力する（Ｓ５）。これにより、地上波デジタルＴＶ放送の番組が再生される。
【００５７】
一方、Ｓ６の処理において制御部１０は、アナログ処理系統部に対する電源供給を開始すると共にデジタル処理系統部に対する電源供給を遮断する。すなわち制御部１０は、スイッチ１６をオフ（スイッチ３４はオンのまま）にして、デジタル処理系統部とアナログ処理系統部のうち、アナログ処理系統部に対してのみ電源供給が行われるようにする。
【００５８】
制御部１０はＳ６の処理に次いでアナログ処理系統部を制御し、上述した一連の処理を実行して映像・音声信号を生成する。そして、生成された映像・音声信号を、映像切替スイッチ１５、音声切替スイッチ２３、及び、オーディオアンプ２４を制御してディスプレイ５０、スピーカ６０Ｒ、６０Ｌに出力する（Ｓ７）。これにより、地上波アナログＴＶ放送の番組が再生される。
【００５９】
制御部１０はＳ５又はＳ７の処理に次いで、所定時間待機する状態に移行する（Ｓ８）。そして所定時間待機後、制御部１０はＳ１の処理に復帰して本フローチャートの処理を繰り返し実行する。本フローチャートの処理は、例えば映像音声出力装置１００の電源スイッチがオフされるまで繰り返し実行される。
【００６０】
すなわち本実施形態の映像音声出力装置１００によれば、車両の現在位置情報に基づいて何れの形式のＴＶ放送の受信状況が良好であるかが判定される。そしてその判定結果に基づいて、再生されるべき形式のＴＶ放送が適宜選択されると共に、選択された形式の処理系統部（デジタル処理系統部又はアナログ処理系統部の何れか一方）に対してのみ電源が供給されるよう動作が行われる。一方の処理系統部に対しては電源を供給し、もう一方の処理系統部に対しては電源供給を遮断するため、その消費電力量費が好適に抑えられる。
【００６１】
以上が本発明の実施形態である。本発明はこれらの実施形態に限定されるものではなく様々な範囲で変形が可能である。
【００６２】
なお、本実施形態のＴＶ放送受信機を具備した映像音声出力装置は車載されたものであるが、別の実施の形態では人が携帯するような機器であっても良い。
【００６３】
また本実施形態では何れか一方の処理系統部への電源供給を遮断しているが、別の実施の形態では、電源供給を遮断するのではなく最低限の動作が行えるようその供給量を抑える（省電力モードで動作する）ようにしても良い。この場合、映像音声出力装置１０は、スイッチ１６及び３４の代替として減衰器を具備することになる。制御部１０が減衰器における減衰率を制御することでデジタル処理系統部又はアナログ処理系統部に対する電源供給が好適に抑えられ、省電力化が実現されるようになる。
【図面の簡単な説明】
【００６４】
【図１】本発明の実施の形態のＴＶ放送受信機を具備した映像音声出力装置の構成を示したブロック図である。
【図２】本発明の実施の形態の映像音声出力装置におけるＴＶ放送番組再生処理を示したフローチャートである。
【図３】本発明の実施の形態のメモリに格納された受信情報データベースを概念的に示した図である。
【符号の説明】
【００６５】
１０  制御部
１１  デジタルＴＶ用アンテナ
１２  デジタルＴＶ用チューナ
１３  ＯＦＤＭ復調部
１４  ＭＰＥＧデコーダ
１５  映像切替スイッチ
１６、３４  スイッチ
２１  音声Ｄ／Ａコンバータ
２３  音声切替スイッチ
２４  オーディオアンプ
３１  アナログＴＶ用アンテナ
３２  アナログＴＶ用チューナ
３３  アナログ受信信号復調部
４０  メモリ
４１  ＧＰＳレシーバ
５０  ディスプレイ
６０Ｒ、６０Ｌ  スピーカ
７０  受光部
８０  リモコン
１００  映像音声出力装置
２００  ＡＣＣ電源
【図１】
2008011018.tif 000003
【図２】
2008011018.tif 000004
【図３】
2008011018.tif 000005